(57)【要約】【課題】  カッターとパイプかしめ器を一つのハンドルに対し一体に設けることで一つの工具とし、作業効率を向上させ、無駄を省いたカッター付パイプかしめ器を提供する。【解決手段】  回動自在に連結された２本のハンドル５０，５０と、そのハンドルの回動により、相対する突子２１，２１の間隔が変化して間に挟まれたパイプをかしめるパイプかしめ部２０と、相対する刃３１，３１が開閉して間に挟まれた物を切断するカッター部３０と、を有するものであり、それぞれのハンドルに対し回動自在に連結する作動板４５，４５を有し、この作動板の同一端部に突子及び刃が隣接して設けられているカッター付パイプかしめ器１０とする。【選択図】      図１
2016137517.tif 000002
【特許請求の範囲】
【請求項１】
回動自在に連結された２本のハンドルと、前記ハンドルの回動により、相対する突子の間隔が変化して間に挟まれたパイプをかしめるパイプかしめ部と、相対する刃が開閉して間に挟まれた物を切断するカッター部と、を有することを特徴とするカッター付パイプかしめ器。
【請求項２】
それぞれの前記ハンドルに対し回動自在に連結する作動板を有し、前記作動板の同一端部に前記突子及び前記刃が隣接して設けられていることを特徴とする請求項１に記載のカッター付パイプかしめ器。
【発明の詳細な説明】
【技術分野】
【０００１】
本発明は、パイプの連結の際に使用されるパイプかしめ器であって、特にカッターを備えるカッター付パイプかしめ器に関するものである。
【背景技術】
【０００２】
金属製パイプの延伸や、錆びたパイプの補修をする際、既存のパイプと新設のパイプとの中空に細径のジョイントパイプを挿し込んで、それぞれのパイプとジョイントパイプとを結合する、という工法が行われることがある。従来は、パイプとジョイントパイプとの重なり部分をねじ止めして結合することが多かったのだが、近年では作業性を重視し、重なり部分をかしめ止めするという方法が多くなっている。このようなかしめ止めの際に用いられるパイプかしめ器の具体例が特許文献１に記載されている。
【０００３】
図３は、特許文献１に記載された従来のパイプかしめ器の平面図である。パイプかしめ器１００は、比較的長い左右のハンドル５０と、このハンドル５０の上端部に一体に設けられる基板４０と、この基板４０の上端に螺子によって接続された作動板４５と、この作動板４５の上端部に突子２１とを有するものである。そして、左右のハンドル５０，５０を開いた状態で相対する突子２１，２１の隙間にパイプを挟み、左右のハンドル５０，５０を内側に閉じることで、相対する突子２１，２１がパイプを挟んでかしめ止めする機構となっている。なお、パイプ径に応じて、相対する突子２１，２１の間隔を微調整できるように、突子２１は、作動板４５に対し螺合されたボルトと一体になっている。
【０００４】
このようなパイプかしめ器１００は、具体的には、ビニールハウスの骨組みのパイプの延伸や補修に使用されることがある。特に、補修の際には、パイプを大幅に新しいものに取り替えるのではなく、ジョイントパイプを使うことで、部分的な補修が可能となり、経済的である。
【０００５】
さらに、ビニールハウスの補修においては、ビニールを留めたりするのに番線を用いることがある。このとき、番線を切断するのに用いるカッターは、太い番線の場合、ある程度の力をかけなければ切断できないため、図３に示したパイプかしめ器１００と同様に、比較的長いハンドル５０にするのが好ましい。つまり、パイプかしめ器１００と、番線等を切断するカッターとは、いずれも、ある程度長いハンドル５０を必要とするものであり、工具としては大きくなる傾向にある。
【先行技術文献】
【特許文献】
【０００６】
【特許文献１】実開昭６３−１２７７１７
【発明の概要】
【発明が解決しようとする課題】
【０００７】
上記の通り、パイプかしめ器と番線切断用カッターとは、使用する場面がビニールハウスの補修という点で一致し、かつ、同程度の長さのハンドルを必要としている。
【０００８】
そこで本発明は、カッターとパイプかしめ器を一つのハンドルに対し一体に設けて一つの工具とし、作業効率を向上させ、かつ無駄を省くことを目的とする。
【課題を解決するための手段】
【０００９】
本発明のカッター付パイプかしめ器は、回動自在に連結された２本のハンドルと、そのハンドルの回動により、相対する突子の間隔が変化して間に挟まれたパイプをかしめるパイプかしめ部と、相対する刃が開閉して間に挟まれた物を切断するカッター部と、を有するものである。
【００１０】
また、それぞれのハンドルに対し回動自在に連結する作動板を有し、この作動板の同一端部に突子及び刃が隣接して設けられていることにするとよい。
【発明の効果】
【００１１】
本発明のカッター付パイプかしめ器によれば、パイプかしめ器とカッターという二つの機能を一つの工具で実現できるので、作業効率を向上させることができ、かつ、二つの大きな工具を別々に所有しなくてもよいので、経済的であり、かつ保存場所等の無駄を省くことができるという効果を奏する。
【図面の簡単な説明】
【００１２】
【図１】本発明のカッター付パイプかしめ器の平面図であって、（ａ）は開いた状態、（ｂ）は閉じた状態を示す。
【図２】パイプかしめ工程の説明図であって、（ａ）はかしめ前の状態、（ｂ）はかしめ後の状態を示す。
【図３】従来のパイプかしめ器の平面図である。
【発明を実施するための形態】
【００１３】
以下、本発明の実施の形態を添付図面を参照して説明する。
【００１４】
図１は、本発明のカッター付パイプかしめ器の平面図であって、（ａ）は開いた状態、（ｂ）は閉じた状態を示す。
【００１５】
本発明のカッター付パイプかしめ器１０は、回動自在に連結された２本のハンドル５０を回動することにより、相対する突子２１，２１の間隔が変化して間に挟まれたパイプをかしめるパイプかしめ部２０と、相対する刃３１が開閉して間に挟まれた物を切断するカッター部３０とからなる。
【００１６】
ハンドル５０は、一端に作業者が握る持ち手部５５を備え、他端には基板４０が接合されている。そして基板４０同士が螺子などで連結されることで、ハンドル５０同士が回動自在に連結されていることになる。なお、基板４０も含めてハンドル５０と考えるとよい。
【００１７】
また、それぞれの基板４０には、作動板４５が螺子などで回動自在に連結されている。さらに、作動板４５同士は、螺子などで回動自在に連結板４６によって連結されている。つまり、作動板４５は、基板４０との連結部分では回動しながら図１の左右方向に移動可能だが、連結板４６との連結部分では回動はするが、左右方向には移動できない構造となっている。
【００１８】
そして、作動板４５のハンドル５０側と反対側の同一端部には、一対の刃３１，３１と一対の突子２１，２１が隣接して設けられていて、ハンドル５０を回動することで、相対する突子２１，２１の間隔が変化し、かつ、相対する刃３１，３１が開閉する構造となっている。なお、この相対する突子２１，２１の間隔が変化する構成部分をかしめ部２０とし、相対する刃３１，３１が開閉する構成部分をカッター部３０とする。
【００１９】
相対する突子２１，２１や刃３１，３１の間隔は、図１（ａ）のようにハンドル５０，５０を広げたときは開き、図１（ｂ）のようにハンドル５０，５０を近づけたときは閉じる構造になっている。なお、刃３１，３１が完全に閉じたときは、基板４０，４０の一部が接触することでストッパーの役割を果たしている。
【００２０】
図２は、パイプかしめ工程の説明図であって、（ａ）はかしめ前の状態、（ｂ）はかしめ後の状態を示す。パイプ６０の中空にジョイントパイプ６１を挿入し、二重になったパイプをかしめることで、パイプ６０とジョイントパイプ６１を結合する方法を示している。
【００２１】
相対する突子２１，２１は、ハンドル５０を閉じたときに最も接近する。このとき、相対する突子２１，２１の間隔は、パイプ６０とジョイントパイプ６１を丁度かしめることができる間隔になっていればよいので、かしめたいパイプ６０の径に合わせて、突子２１の突出量を微調整する必要がある。
【００２２】
そこで、パイプかしめ部２０は、先端が突子２１になっているかしめ用ボルト２３と、ロック用ナット２２とを有し、作動板４５にかしめ用ボルト２３が螺合している構成とする。そうすると、かしめ用ボルト２３を回転させることで、突子２１の突出量を変化させることができるので、パイプ径に合わせて相対する突子２１，２１の間隔を微調整することが可能となる。なお、ロック用ナット２２は、かしめ用ボルト２３と螺合し、作動板４５に接触する位置に締め付けることで、突子２１の突出量を固定するのに用いられる。
【００２３】
また、パイプかしめ部２０に隣接した箇所にカッター部３０が設けられている。カッター部３０は、相対する刃３１，３１の間に番線などを挟んで切断するものであるが、切断するものは特に番線に限定するものではない。ここでは、パイプかしめ部２０とカッター部３０とが、作動板４５の一端部に隣接して設けられているので、かしめるときの力と同程度の力で切断できるものであればよい。
【００２４】
このように一つのハンドル５０に対し、パイプかしめ部２０とカッター部３０とを一体的に設けることで、大きなハンドル５０を必要とする二つの工具を所有する必要がなくなるので、経済的であり、かつ、置き場所の無駄も省くことができる。また、ビニールハウスの補修等では、パイプのかしめ作業と番線の切断との両方の作業を行うことがあるので、作業効率を向上させることにもなる。
【符号の説明】
【００２５】
１０ カッター付パイプかしめ器
２０ パイプかしめ部
２１ 突子
２２ ロック用ナット
２３ かしめ用ボルト
３０ カッター部
３１ 刃
４０ 基板
４５ 作動板
４６ 連結板
５０ ハンドル
５５ 持ち手部
６０ パイプ
６１ ジョイントパイプ
【図１】
2016137517.tif 000003
【図２】
2016137517.tif 000004
【図３】
2016137517.tif 000005